(57)【特許請求の範囲】
【請求項１】
中身が判別できる眼球を模造した球状ケースの半球状ケースの頂部に、虹彩を模造した真円の孔が開けられ、網膜を模造した半球状ケースの頂部に、糸やゴムを通すことができる孔が開けられ、更に角膜を模造した合成樹脂製の半球状カバーを虹彩に覆設し、瞳より屈折する平行光束を模造したゴムの光束焦点の位置から糸で係止し、上記眼球を模造した球状ケースの外側へ糸を弛張させ、光束焦点を模造したゴムを伸縮させることにより被検眼者の眼球の症状を表現することができ、眼科医より又は眼鏡店の眼鏡士より適確にその症状を説明することができることを特徴とする眼球光束屈折異常解析器。
【発明の詳細な説明】
【０００１】
【発明の属する技術分野】
本発明は、眼科診療所や眼鏡店でメガネを必要とされる人に使用される眼科用屈折計でその症状を被検眼者に説明する際に、分かり易く表現できる眼球光束屈折異常解析器に関するものである。
【０００２】
【従来の技術】
従来、眼科診療に於て、種々の大きさの視力表による結果や自覚眼屈折計などで被検眼者の症状が眼科医より判断され、被検眼者は眼科医からの説明を受け、メガネやコンタクトの必要性を問われていた。然し外傷やレントゲン治療など目視で症状が分かる場合は問題ないが、眼球内のことであり症状の分かり難さから、その症状の診断内容には眼科医と被検眼者、または眼鏡店の眼鏡士とメガネが必要とされる人との信頼関係が問われるものであった。
【０００３】
眼科診療における症状は様々で、あらゆる光束屈折の異常パターンが考えられ、被検眼者も難しい用語で説明を受けても理解できず、被検眼者へ曖昧模糊とした説明になってしまうものである。
【０００４】
【発明が解決しようとする課題】
そこで年寄りから子供までメガネが必要な人にその症状に合った眼球の光束屈折異常が説明でき、これからどのように治療していくのかを詳細に、且つ明解に説明できる眼球光束屈折異常解析器の技術開発に成功したものである。
【０００５】
【課題を解決するための手段】
本発明は、上記課題を解決するためになされたものであり、その要旨  とするところは、中身が判別できる眼球を模造した球状ケースの半球状ケースの頂部に、虹彩を模造した真円の孔が開けられ、網膜を模造した半球状ケースの頂部に、糸やゴムを通すことができる孔が開けられ、更に角膜を模造した合成樹脂製の半球状カバーを虹彩に覆設し、瞳より屈折する平行光束を模造した光束ゴムの焦点の位置から糸で係止し、上記眼球を模造した球状ケースの外側へ糸を弛張させ、光束焦点を模造したゴムを伸縮させることにより被検眼者の眼球の症状を表現することができ、眼科医より又は眼鏡店の眼鏡士より適確にその症状を説明することができることを特徴とする眼球光束屈折異常解析器に関するものである。
【０００６】
【発明の実施の形態】
本発明を実施例の図面を参照しながら詳細に説明する。
図１に於て、１は眼球を模造した球状ケースの眼球光束屈折異常解析器であり、中身が判別できる球状ケース２３であれば透明体プラスチックやアクリルなどの合成樹脂製の分割可能な球状ケース２３であっても、球状に加工された金網を使用しても材質には拘らない。
【０００７】
図１に於て、球状ケースの眼球光束屈折異常解析器１は、眼球を模造した半球状ケース２と、網膜を模造した半球状ケース３を嵌合させることにより球状ケース２３が構成され、更に角膜を模造した半球状カバー４を半球状ケース２に覆設させて眼球全体の構成が成されている。
【０００８】
また眼球としては存在しない部品ではあるが、瞳２５より入光するの光束を模造したゴム５、５ａとゴム５、５ａを弛張させる糸６、６ａ及び眼球の屈折力を表現するディオプタの目盛１７、２２が打刻されているゴム２４が眼球光束屈折異常解析器１に取付けられている。
【０００９】
図２に於て、半球状ケース２の頂部に真円の虹彩を模造した虹彩孔１３が開けられ、この虹彩孔１３の中心線上部・下部に止め孔１１，１１が開けられている。また半球状ケース３の頂部に糸６、６ａやゴム５、５ａ、２４を通す貫通孔１４が開けられている。半球状ケース２、３は後述で示す要領によりゴムや糸が取付けられた後、嵌合部１５を合わせることで球状ケース２３として形成される。
【００１０】
図２に於て、つば部９を持つ透明体合成樹脂製の角膜を模造した半球状カバー４が半球状ケース２より覆設される。この半球状カバー４は、頂点に瞳２５が描かれ、虹彩孔１３より略同心円の水平中心線の左部・右部にゴム５通すための止め孔１０，１０が開けられている。
【００１１】
半球状カバー４の止め孔１０，１０と半球状ケース２の止め孔１１，１１に夫々ゴム５、５ａが挿通され、止め具２０で固定されている。また半球状カバー４の頂点には孔１２が開けられ、ゴム２４が止め具２１により掛止され、半球状ケース３の頂部の貫通孔１４に挿通され、止め具１９を使用して固定される。そのゴム２４の端末は少し外側に延長されている。詳細は後述の図４で説明する。
【００１２】
図２に於て、眼球光束屈折異常解析器１の光束屈折したゴム５ａの端末は半球状ケース２の止め孔１１，１１に係止され、またゴム５ａの光束焦点１８ａの位置で糸６ａにより固縛され、ゴム５ａの弛張により半球状ケース３の貫通孔１４から眼球光束屈折異常解析器１の外側へ糸６ａが挿通される。糸６ａの端末は止め具７ａが取付けられ、且つ、糸６ａの途中ではゴム５ａの弛張が適宜に設定できるストッパー８ａが取付けられる。
【００１３】
同様に、眼球光束屈折異常解析器１の半球状カバー４に光束屈折したゴム５の端末の止め具２０が半球状カバー４の止め孔１０，１０に掛止され、またゴム５光束焦点１８の位置で糸６により固縛され、ゴム５の弛張により半球状ケース３の貫通孔１４から眼球光束屈折異常解析器１の外側へ糸６が挿通される。糸６の端末は止め具７が取付けられ、且つ、糸６の途中ではゴム５の弛張が適宜に設定できるストッパー８が取付けられる。
【００１４】
図３に於て、本発明の眼球光束屈折異常解析器１は、瞳２５より入光する光束屈折の説明をゴムで表現し、下記のような種類で構成される。また眼球光束屈折異常解析器１の角膜は真円で製作されているが、正しい眼球の角膜は真円ではなく僅かに横に長い楕円体をしている。
したがって止め孔１１，１１を結ぶ経線を強主経線αと表現し、光束屈折力が強く、逆に止め孔１０，１０を結ぶ経線を弱主経線βと表現し、光束屈折力が弱い性質を持っている。弱主経線βで結ばれる光束焦点１８は遠くに、強主経線αで結ばれる光束焦点１８ａは近くに結焦し易く、その説明においてゴム５、５ａの色を変えることにより眼球光束屈折異常解析器１が構成されている。
【００１５】
またこの強主経線αと弱主経線βは直角θで成立しているため、例えば被検眼者の両眼のうち、どちらか片側の眼球の強主経線αと弱主経線βが傾いている斜乱視の場合でもこの眼球光束屈折異常解析器１を傾けることで表現することができる。
【００１６】
図４に於て、眼球光束屈折異常解析器１の要部欠截した右側面図より、手で糸を弛張させている状態を示している。
眼球光束屈折異常解析器１の糸６、６ａを手１６で弛張させ、光束のゴム５、５ａを伸縮させ、適宜の位置に光束焦点１８、１８ａを指示することができる。半球状カバー４の頂点の止め孔１２より半球状ケース３の貫通孔１４に挿通し、止め部１９で掛止されているゴム２４は、止め部１９を０として半球状ケース３の内側に向かってディオプタの数値の目盛１７が略等間隔でマイナス８まで表示されて打刻される。またゴム２４を半球状ケース３の外側にも延長させ、ディオプタの数値の目盛２２が略等間隔でプラス３まで表示されて打刻される。このディオプタの数値の目盛１７、２２は、被検眼者に分かり易く説明するために大きくしたもので、目盛のサイズは自覚屈折計の実際のスケールではない。
【００１７】
図５に於て、眼球の光束屈折異常解析器１の糸６、６ａを手１６で弛張させ、光束のゴム５、５ａを伸縮させ、光束屈折異常解析器１の内側でストッパー８、８ａで指示された状態を示す。
ゴム５、５ａの光束焦点１８、１８ａは同じ伸張を示し、この状態が近視の眼球屈折状態で、その屈折力を示すディオプタの数値は光束焦点１８、１８ａが指示された目盛１７で表現することができる。
【００１８】
図６於て、眼球光束屈折異常解析器１の糸６、６ａを手１６で弛張させ、光束のゴム５、５ａを伸縮させ、眼球光束屈折異常解析器１の貫通孔１４を挿通させ、外側まで伸張させた状態を示している。この状態が遠視の眼球屈折状態で、その屈折力を示すディオプタの数値は光束焦点１８、１８ａが指示された目盛２２で表現することができる。
【００１９】
図７に於て、眼球光束屈折異常解析器１の光束のゴム５、５ａを伸縮させる糸６、６ａを別々に伸張させ、糸６のゴムの光束焦点１８を眼球光束屈折異常解析器１の貫通孔１４より外側の位置まで伸張させ、糸６ａのゴムの光束焦点１８ａを眼球光束屈折異常解析器１の貫通孔１４より手前の位置まで伸張させた状態を示している。この状態が混合乱視の眼球屈折状態で、眼球の屈折力を示すディオプタの数値は光束焦点１８、１８ａが指示された夫々目盛１７、２２で表現することができる。
【００２０】
図５、図６、図７により眼球光束屈折異常解析器１は、光束のゴム５、５ａの伸張によりあらゆるパターンの光束屈折異常を表わすことができ、屈折力を示すディオプタの数値も同時に表現することが可能である。
【００２１】
【発明の効果】
本発明の眼球光束屈折異常解析器は、中身の判別できる眼球の形状を模造した球状にしたため、年寄りから子供までメガネが必要な人に眼球の症状を分かり易く表現でき、光束屈折異常が詳細に説明できる優れた光束屈折異常解析器である。
【００２２】
本発明の眼球光束屈折異常解析器は、瞳より屈折する平行光束を模造したゴムの光束焦点を糸で係止し、外側よりゴムを伸縮させ光束焦点を指示させることができるので、ほとんどの光束屈折異常の状況を表現することが可能で、被検眼者やメガネの必要な人に症状を説明し易いため、眼科医や眼鏡店の眼鏡士に対しても重宝される光束屈折異常解析器といえるものである。
【図面の簡単な説明】
【図１】本発明の眼球光束屈折異常解析器の外観斜視図である。
【図２】本発明の眼球光束屈折異常解析器の要部を欠截した外観斜視図である。
【図３】本発明の眼球光束屈折異常解析器で強主経線と弱主経線を示す正面図である。
【図４】本発明の眼球光束屈折異常解析器の一部を欠截し、光束のゴムを引張っている状態を示す右側面図である。
【図５】本発明の眼球光束屈折異常解析器の光束のゴムを眼球の内側で止めた状態を示す右側面図である。
【図６】本発明の眼球光束屈折異常解析器の光束のゴムを眼球の外側まで引張っている状態を示す右側面図である。
【図７】本発明の眼球光束屈折異常解析器の光束のゴムを眼球の内側、眼球の外側まで夫々引張っている状態を示す右側面図である。
【符号の説明】
１  眼球光束屈折異常解析器
２  半球状ケース
３  半球状ケース
４  半球状カバー
５  ゴム
５ａゴム
６  糸
６ａ糸
７  止め具
７ａ止め具
８  ストッパー
８ａストッパー
９  つば部
１０  止め孔
１１  止め孔
１２  止め孔
１３  虹彩孔
１４  貫通孔
１５  嵌合部
１６  手
１７  目盛
１８  光束焦点
１８ａ光束焦点
１９  止め具
２０  止め具
２１  止め具
２２  目盛
２３  球状ケース
２４  ゴム
２５  瞳
α  強主経線
β  弱主経線
θ  直角
【図１】
0003623949.tif 000002
【図２】
0003623949.tif 000003
【図３】
0003623949.tif 000004
【図４】
0003623949.tif 000005
【図５】
0003623949.tif 000006
【図６】
0003623949.tif 000007
【図７】
0003623949.tif 000008